【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
競技用具の使用履歴を特定するシステムであって、前記競技用具に一体の無線端末と通信をする基地局と、前記基地局の前記通信の通信履歴を記録する記憶装置と、競技の進行状況を示す参照データを記録する記録手段と、前記基地局と前記通信をしてその通信履歴を記録する前記無線端末と、前記無線端末から前記通信履歴を読取る読取手段と、前記読取手段出力を前記記憶装置で記録された前記通信履歴と照合してその照合結果に対応する前記参照データを出力する照合／参照手段と、を具備することを特徴とする競技用具の使用履歴特定システム。
【請求項２】
競技用具に一体の無線端末と基地局との間で通信を行い、双方で記録された前記通信の通信履歴を照合して、その照合結果に対応する競技の進行状況を示す参照データを出力する競技用具の使用履歴特定システムであって、出力された前記参照データを表示する手段を具備することを特徴とする競技用具の使用履歴特定システム。
【請求項３】
競技用具に一体の無線端末と通信をする基地局と、前記基地局と前記通信をしてその通信履歴を記録する前記無線端末と、競技の進行状況を示す参照データと前記基地局側の前記通信の通信履歴とをイベントデータとして記録するイベントデータ記録手段と、前記無線端末から前記通信履歴を読取る読取手段と、前記読取手段出力を前記イベントデータ内の前記通信履歴と照合してその照合結果に対応する前記参照データを出力する照合／参照手段と、前記照合／参照手段出力を表示する表示手段と、を具備することを特徴とする競技用具の使用履歴特定システム。
【請求項４】
競技用具に一体の無線端末と通信をする基地局と、前記基地局と前記通信をしてその通信履歴を記録する前記無線端末と、競技の進行状況を示す参照データと前記基地局側の前記通信の通信履歴とをイベントデータとして記録するイベントデータ記録手段と、前記無線端末から前記通信履歴を読取る読取手段と、前記読取手段出力を前記イベントデータ内の前記通信履歴と照合してその照合結果に対応する前記参照データを出力する照合／参照手段と、から構成される競技用具の使用履歴特定システムであって、前記無線端末に競技情報を記録する手段を備えて、前記競技情報を前記読取手段で読み取り、その読み取られた競技情報から前記イベントデータを特定することを特徴とする競技用具の使用履歴特定システム。
【請求項５】
前記競技用具の希少性を評価するために、前記イベントデータを蓄積して、その蓄積されたイベントデータを統計処理する手段を備えたことを特徴とする請求項３又は４に記載の競技用具の使用履歴特定システム。
【請求項６】
競技用具と基地局との間で通信を行い、双方で記録された前記通信の通信履歴を照合して、その照合結果に対応する競技の進行状況を示す参照データを出力する競技用具の使用履歴特定システムに用いる競技用具であって、前記基地局と前記通信をしてその通信履歴を記録する無線端末を備えて、その無線端末が一体に組み込まれていることを特徴とする競技用具。
【請求項７】
競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる無線端末であって、前記基地局と前記通信をしてその通信履歴を記録する手段を具備する無線ＩＣタグであることを特徴とする無線端末。
【請求項８】
競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる照合端末であって、前記無線端末に記録され、前記基地局の前記通信履歴と照合される前記通信履歴を読取る手段を具備することを特徴とする照合端末。
【請求項９】
競技用具と基地局との間で通信を行い、双方で記録された前記通信の通信履歴を照合して、その照合結果に対応する競技の進行状況を示す参照データを出力する競技用具の使用履歴特定システムに用いる競技用具の製造方法であって、前記基地局と前記通信をしてその通信履歴を記録する無線端末を一体に組み込む製造ステップを有することを特徴とする競技用具の製造方法。
【請求項１０】
競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる無線端末の製造方法であって、前記基地局と前記通信をしてその通信履歴を記録する手段を組み込む製造ステップを有することを特徴とする無線端末の製造方法。
【請求項１１】
競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる照合端末の製造方法であって、前記無線端末に記録され、前記基地局の前記通信履歴と照合される前記通信履歴を読取る手段を組み込む製造ステップを有することを特徴とする照合端末の製造方法。
【手続補正２】
【補正対象書類名】明細書
【補正対象項目名】発明の名称
【補正方法】変更
【補正の内容】
【発明の名称】競技用具の使用履歴特定システム及びそれに用いる端末並びに端末の製造方法
【手続補正３】
【補正対象書類名】明細書
【補正対象項目名】０００１
【補正方法】変更
【補正の内容】
【０００１】
本発明は競技用具の使用履歴を特定する使用履歴特定システムに関し、特に競技用具に一体の無線端末に記録された通信履歴を利用した競技用具の使用履歴に関する使用履歴特定システム及びそれに用いる端末並びに端末の製造方法に関する。
【手続補正４】
【補正対象書類名】明細書
【補正対象項目名】０００３
【補正方法】変更
【補正の内容】
【０００３】
このような従来の方法は確実に実行される保証は無いし、実行されたとしても記入漏れの懸念もある。更に厳密に言えばサインされたボールがホームランボールである証明にはなっていない。本発明はこのような欠点を取り除くもので、本発明の目的は競技用具の使用履歴を正確に特定する信頼性の高い使用履歴特定システム及びそれに用いる端末並びに端末の製造方法を提供することにある。
【手続補正５】
【補正対象書類名】明細書
【補正対象項目名】０００４
【補正方法】変更
【補正の内容】
【０００４】
以上の課題を解決するためになされた本発明は競技用具の使用履歴を特定するシステムであって、前記競技用具に一体の無線端末と通信をする基地局と、前記基地局の前記通信の通信履歴を記録する記憶装置と、競技の進行状況を示す参照データを記録する記録手段と、前記基地局と前記通信をしてその通信履歴を記録する前記無線端末と、前記無線端末から前記通信履歴を読取る読取手段と、前記読取手段出力を前記記憶装置で記録された前記通信履歴と照合してその照合結果に対応する前記参照データを出力する照合／参照手段と、を具備することを特徴とする競技用具の使用履歴特定システムである。
【手続補正６】
【補正対象書類名】明細書
【補正対象項目名】０００５
【補正方法】変更
【補正の内容】
【０００５】
また、競技用具に一体の無線端末と基地局との間で通信を行い、双方で記録された前記通信の通信履歴を照合して、その照合結果に対応する競技の進行状況を示す参照データを出力する競技用具の使用履歴特定システムであって、出力された前記参照データを表示する手段を具備することを特徴とする競技用具の使用履歴特定システムである。
【手続補正７】
【補正対象書類名】明細書
【補正対象項目名】０００６
【補正方法】変更
【補正の内容】
【０００６】
また、競技用具に一体の無線端末と通信をする基地局と、前記基地局と前記通信をしてその通信履歴を記録する前記無線端末と、競技の進行状況を示す参照データと前記基地局側の前記通信の通信履歴とをイベントデータとして記録するイベントデータ記録手段と、前記無線端末から前記通信履歴を読取る読取手段と、前記読取手段出力を前記イベントデータ内の前記通信履歴と照合してその照合結果に対応する前記参照データを出力する照合／参照手段と、前記照合／参照手段出力を表示する表示手段と、を具備することを特徴とする競技用具の使用履歴特定システムである。
【手続補正８】
【補正対象書類名】明細書
【補正対象項目名】０００７
【補正方法】変更
【補正の内容】
【０００７】
また、競技用具に一体の無線端末と通信をする基地局と、前記基地局と前記通信をしてその通信履歴を記録する前記無線端末と、競技の進行状況を示す参照データと前記基地局側の前記通信の通信履歴とをイベントデータとして記録するイベントデータ記録手段と、前記無線端末から前記通信履歴を読取る読取手段と、前記読取手段出力を前記イベントデータ内の前記通信履歴と照合してその照合結果に対応する前記参照データを出力する照合／参照手段と、から構成される競技用具の使用履歴特定システムであって、前記無線端末に競技情報を記録する手段を備えて、前記競技情報を前記読取手段で読み取り、その読み取られた競技情報から前記イベントデータを特定することを特徴とする競技用具の使用履歴特定システムである。
また、前記競技用具の希少性を評価するために、前記イベントデータを蓄積して、その蓄積されたイベントデータを統計処理する手段を備えたことを特徴とする競技用具の使用履歴特定システムである。
【手続補正９】
【補正対象書類名】明細書
【補正対象項目名】０００８
【補正方法】変更
【補正の内容】
【０００８】
また、競技用具と基地局との間で通信を行い、双方で記録された前記通信の通信履歴を照合して、その照合結果に対応する競技の進行状況を示す参照データを出力する競技用具の使用履歴特定システムに用いる競技用具であって、前記基地局と前記通信をしてその通信履歴を記録する無線端末を備えて、その無線端末が一体に組み込まれていることを特徴とする競技用具である。
また、競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる無線端末であって、前記基地局と前記通信をしてその通信履歴を記録する手段を具備する無線ＩＣタグであることを特徴とする無線端末である。
【手続補正１０】
【補正対象書類名】明細書
【補正対象項目名】０００９
【補正方法】変更
【補正の内容】
【０００９】
また、競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる照合端末であって、前記無線端末に記録され、前記基地局の前記通信履歴と照合される前記通信履歴を読取る手段を具備することを特徴とする照合端末である。
【手続補正１１】
【補正対象書類名】明細書
【補正対象項目名】００１０
【補正方法】変更
【補正の内容】
【００１０】
また、競技用具と基地局との間で通信を行い、双方で記録された前記通信の通信履歴を照合して、その照合結果に対応する競技の進行状況を示す参照データを出力する競技用具の使用履歴特定システムに用いる競技用具の製造方法であって、前記基地局と前記通信をしてその通信履歴を記録する無線端末を一体に組み込む製造ステップを有することを特徴とする競技用具の製造方法である。
【手続補正１２】
【補正対象書類名】明細書
【補正対象項目名】００１１
【補正方法】変更
【補正の内容】
【００１１】
また、競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる無線端末の製造方法であって、前記基地局と前記通信をしてその通信履歴を記録する手段を組み込む製造ステップを有することを特徴とする無線端末の製造方法である。
【手続補正１３】
【補正対象書類名】明細書
【補正対象項目名】００１２
【補正方法】変更
【補正の内容】
【００１２】
また、競技用具に一体の無線端末と基地局との間で通信を行い、双方で記録された前記通信の通信履歴を照合して、その照合結果に対応する競技の進行状況を示す参照データを出力する競技用具の使用履歴特定システムに用いる照合端末の製造方法であって、前記無線端末に記録され、前記基地局の前記通信履歴と照合される前記通信履歴を読取る手段を組み込む製造ステップを有することを特徴とする照合端末の製造方法である。